(57)【要約】【課題】端子部の間の限られたスペースを利用して導電部材に対して複数の端子を締結することができる電気接続箱を提供する。【解決手段】電気接続箱１は、一対の端子部１２ａ，１２ｂを有するヒュージブルリンク１２と、板状の導電部材１３と、第一のフランジ部２１ａを有し、第一のネジ部材２０と螺合して導電部材に締結される第一ナット２１と、第二のフランジ部２３ａを有し、第二のネジ部材２２と螺合して導電部材に締結される第二ナット２３と、第一のフランジ部および第二のフランジ部を保持する保持部５を有し、かつヒュージブルリンクを保持するブロック４と、を備える。保持部は、一対の端子部の間に端子部の突出方向に沿って延在しており、挿入方向の奥側に位置する第一保持部６１と、挿入方向の入口側に位置する第二保持部６２とを有し、保持部は、第一のフランジ部の進入を許容し、かつ第二のフランジ部の進入を規制する突起部５６を有する。【選択図】図１０
2018160967.tif 000002
【特許請求の範囲】
【請求項１】
互いに対向する一対の端子部を有するヒュージブルリンクと、
前記端子部に電気的に接続される板状の導電部材と、
第一のフランジ部を有し、第一のネジ部材と螺合して前記導電部材に締結される第一ナットと、
第二のフランジ部を有し、第二のネジ部材と螺合して前記導電部材に締結される第二ナットと、
前記第一のフランジ部および前記第二のフランジ部を保持する保持部を有し、かつ前記ヒュージブルリンクを保持するブロックと、
を備え、
前記保持部は、一対の前記端子部の間に前記端子部の突出方向に沿って延在しており、
前記保持部は、前記第一のフランジ部および前記第二のフランジ部が挿入される挿入口と、前記挿入方向の奥側に位置し、前記第一のフランジ部を保持する第一保持部と、前記挿入方向の入口側に位置し、前記第二のフランジ部を保持する第二保持部とを有し、
前記第二のフランジ部は、前記第一のフランジ部と比較して厚さまたは幅の少なくとも一方が大きく、
前記保持部は、前記第一のフランジ部が前記第一保持部へ進入することを許容し、かつ前記第二のフランジ部に当接して前記第二のフランジ部が前記第一保持部へ進入することを規制する突起部を有する
ことを特徴とする電気接続箱。
【請求項２】
前記第二のフランジ部の厚さは、前記第一のフランジ部の厚さよりも大きく、
前記突起部は、前記第一のフランジ部および前記第二のフランジ部の厚さ方向に向けて突出しており、かつ前記挿入方向に沿って前記第一保持部に形成されており、
前記突起部は、前記厚さ方向において前記導電部材とは反対側から前記第一のフランジ部を支持する
請求項１に記載の電気接続箱。
【請求項３】
前記第二のフランジ部の幅は、前記第一のフランジ部の幅よりも大きく、
前記突起部は、前記第一のフランジ部および前記第二のフランジ部の幅方向に突出しており、かつ前記挿入方向に沿って前記第一保持部に形成されており、
前記突起部は、前記幅方向において前記第一のフランジ部を挟み込み、前記第一のフランジ部を保持する
請求項１に記載の電気接続箱。
【請求項４】
前記導電部材は、前記第一ナットが締結される第一固定部と、前記第一固定部と平行であり、かつ前記第二ナットが締結される第二固定部と、を有し、
前記導電部材は、前記第一固定部と前記第二固定部との間に屈曲部を有する
請求項１から３の何れか１項に記載の電気接続箱。
【請求項５】
前記ブロックは、前記ブロックによって保持された電子部品から引き出された電線を保持する電線保持部を有し、
前記電線保持部は、前記導電部材に締結された端子と前記電線との間に位置し、前記端子が前記電線側に向けて回転することを規制する規制部を有する
請求項１から４の何れか１項に記載の電気接続箱。
【発明の詳細な説明】
【技術分野】
【０００１】
本発明は、電気接続箱に関する。
【背景技術】
【０００２】
従来、電気接続箱において、板状の導電部材に対して端子を接続する技術がある。特許文献１には、導電板部と共にナット及びボルトにより締め付け固定される端子変換ブロックを備える電気機器と電線端末端子との接続構造の技術が開示されている。特許文献１の接続構造では、端子変換ブロックは、導電性のブロックバスバーを含み、ブロックバスバーは、一端側にバスバー側ボルト挿通部を有すると共に他端側に電線側電気接触部を有する。
【先行技術文献】
【特許文献】
【０００３】
【特許文献１】特開２０１２−２４４８７６号公報
【発明の概要】
【発明が解決しようとする課題】
【０００４】
ヒュージブルリンクと接続された導電部材に対して、ナットおよびネジ部材によって端子が締結されることがある。この場合、ナットは、ヒュージブルリンクが有する一対の端子部の間の限られたスペースに配置される。限られたスペースを有効に利用して、導電部材に対して複数の端子を締結できることが望まれている。
【０００５】
本発明の目的は、端子部の間の限られたスペースを利用して導電部材に対して複数の端子を締結することができる電気接続箱を提供することである。
【課題を解決するための手段】
【０００６】
本発明の電気接続箱は、互いに対向する一対の端子部を有するヒュージブルリンクと、前記端子部に電気的に接続される板状の導電部材と、第一のフランジ部を有し、第一のネジ部材と螺合して前記導電部材に締結される第一ナットと、第二のフランジ部を有し、第二のネジ部材と螺合して前記導電部材に締結される第二ナットと、前記第一のフランジ部および前記第二のフランジ部を保持する保持部を有し、かつ前記ヒュージブルリンクを保持するブロックと、を備え、前記保持部は、一対の前記端子部の間に前記端子部の突出方向に沿って延在しており、前記保持部は、前記第一のフランジ部および前記第二のフランジ部が挿入される挿入口と、前記挿入方向の奥側に位置し、前記第一のフランジ部を保持する第一保持部と、前記挿入方向の入口側に位置し、前記第二のフランジ部を保持する第二保持部とを有し、前記第二のフランジ部は、前記第一のフランジ部と比較して厚さまたは幅の少なくとも一方が大きく、前記保持部は、前記第一のフランジ部が前記第一保持部へ進入することを許容し、かつ前記第二のフランジ部に当接して前記第二のフランジ部が前記第一保持部へ進入することを規制する突起部を有することを特徴とする。
【発明の効果】
【０００７】
本発明に係る電気接続箱は、互いに対向する一対の端子部を有するヒュージブルリンクと、端子部に電気的に接続される板状の導電部材と、第一のフランジ部を有し、第一のネジ部材と螺合して導電部材に締結される第一ナットと、第二のフランジ部を有し、第二のネジ部材と螺合して導電部材に締結される第二ナットと、第一のフランジ部および第二のフランジ部を保持する保持部を有し、かつヒュージブルリンクを保持するブロックと、を備える。
【０００８】
保持部は、一対の端子部の間に端子部の突出方向に沿って延在している。保持部は、第一のフランジ部および第二のフランジ部が挿入される挿入口と、挿入方向の奥側に位置し、第一のフランジ部を保持する第一保持部と、挿入方向の入口側に位置し、第二のフランジ部を保持する第二保持部とを有する。第二のフランジ部は、第一のフランジ部と比較して厚さまたは幅の少なくとも一方が大きい。保持部は、第一のフランジ部が第一保持部へ進入することを許容し、かつ第二のフランジ部に当接して第二のフランジ部が第一保持部へ進入することを規制する突起部を有する。
【０００９】
本発明に係る電気接続箱の保持部は、挿入方向に沿って複数のナットを保持する。よって、本発明に係る電気接続箱は、一対の端子部の間の限られたスペースを利用して導電部材に対して複数の端子を締結することができるという効果を奏する。
【図面の簡単な説明】
【００１０】
【図１】図１は、第１実施形態に係る電気接続箱およびワイヤハーネスの斜視図である。
【図２】図２は、第１実施形態に係る電気接続箱の内部を示す斜視図である。
【図３】図３は、第１実施形態に係る電気接続箱の内部を示す側面図である。
【図４】図４は、第１実施形態に係る電気接続箱における電気的な接続構造の斜視図である。
【図５】図５は、第１実施形態に係る電気接続箱における電気的な接続構造の他の斜視図である。
【図６】図６は、第１実施形態の電気接続箱における締結構造の分解斜視図である。
【図７】図７は、第１実施形態に係るブロックの断面斜視図である。
【図８】図８は、第１実施形態に係るブロックの断面図である。
【図９】図９は、第１実施形態におけるナットの挿入を説明する断面図である。
【図１０】図１０は、第１実施形態において各ナットと各ネジ部材とが螺合された状態の断面図である。
【図１１】図１１は、第１実施形態のバスバーの傾斜部について説明する断面図である。
【図１２】図１２は、第１実施形態の規制部を示す斜視図である。
【図１３】図１３は、第１実施形態の規制部による作用を説明する斜視図である。
【図１４】図１４は、第１実施形態の規制部による作用を説明する側面図である。
【図１５】図１５は、第２実施形態に係るブロックの下面図である。
【図１６】図１６は、第２実施形態に係る保持部を示す断面図である。
【図１７】図１７は、第２実施形態の保持部に対して挿入されるナットを示す断面図である。
【図１８】図１８は、第２実施形態の保持部によって保持されたナットを示す断面図である。
【発明を実施するための形態】
【００１１】
以下に、本発明の実施形態に係る電気接続箱につき図面を参照しつつ詳細に説明する。なお、この実施形態によりこの発明が限定されるものではない。また、下記の実施形態における構成要素には、当業者が容易に想定できるものあるいは実質的に同一のものが含まれる。
【００１２】
［第１実施形態］
図１から図１４を参照して、第１実施形態について説明する。本実施形態は、電気接続箱に関する。図１は、第１実施形態に係る電気接続箱およびワイヤハーネスの斜視図、図２は、第１実施形態に係る電気接続箱の内部を示す斜視図、図３は、第１実施形態に係る電気接続箱の内部を示す側面図、図４は、第１実施形態に係る電気接続箱における電気的な接続構造の斜視図、図５は、第１実施形態に係る電気接続箱における電気的な接続構造の他の斜視図、図６は、第１実施形態の電気接続箱における締結構造の分解斜視図、図７は、第１実施形態に係るブロックの断面斜視図、図８は、第１実施形態に係るブロックの断面図、図９は、第１実施形態におけるナットの挿入を説明する断面図、図１０は、第１実施形態において各ナットと各ネジ部材とが螺合された状態の断面図である。
【００１３】
図７には、図３のVII−VII断面におけるブロック４の断面が示されており、図８には、図３のVIII−VIII断面におけるブロック４の断面が示されている。また、図９から図１１の断面図は、図７の断面と同じ断面位置の断面図である。
【００１４】
図１に示すように、本実施形態に係る電気接続箱１は、アッパーカバー２およびロアカバー３を有する。電気接続箱１は、自動車等の車両に搭載され、車両に搭載される各装置間を接続する。電気接続箱１は、電線Ｗ，Ｗ１と共にワイヤハーネスＷＨを構成する。電気接続箱１の電子部品は、電線Ｗ，Ｗ１やコネクタを介して車両のバッテリや電装部品等に接続される。
【００１５】
アッパーカバー２およびロアカバー３は、互いに係合することにより、図２に示すブロック４を収容する収容空間を形成する。図１に示すように、電気接続箱１は、電線挿通部１１を有する。電線挿通部１１は、ロアカバー３に設けられた半円筒形状の筒構成部３１と、ブロック４に設けられた半円筒形状の筒構成部４２とを有する。二つの筒構成部３１，４２は、組み合わされて円筒形状の電線挿通部１１を形成する。電線Ｗ，Ｗ１は、電線挿通部１１を介して外部空間へと引き出される。
【００１６】
図２に示すように、ブロック４は、本体４１と、筒構成部４２とを有する。本体４１は、直方体形状の構成部である。筒構成部４２は、本体４１から本体４１の長手方向に向けて突出している。本体４１および筒構成部４２は、例えば、絶縁性の合成樹脂によって一体に形成されている。以下の説明において、電気接続箱１の「縦方向Ｘ」は、ブロック４および電気接続箱１の長手方向であり、電気接続箱１から電線Ｗ，Ｗ１が引き出される方向を示す。また、「高さ方向Ｚ」は、アッパーカバー２とロアカバー３とが嵌合する方向である。「横方向Ｙ」は、ブロック４および電気接続箱１の幅方向であり、縦方向Ｘおよび高さ方向Ｚと直交する方向である。
【００１７】
図２に示すように、ブロック４は、ヒュージブルリンク１２を保持するＦＬ保持部４３を有する。ＦＬ保持部４３は、ヒュージブルリンク１２と嵌合する凹部である。ヒュージブルリンク１２は、バッテリ等の電源と車両に搭載された電気機器との間に介在する。ヒュージブルリンク１２に接続される電気機器は、例えば、スタータモータやオルタネータを含む。ヒュージブルリンク１２は、通電される電流値が予め定められた上限電流値以上となった場合に溶断する溶断部を有する。図２に示すように、ブロック４は、更に、電子部品を保持する複数の部品保持部４４を有する。部品保持部４４には、例えば、他のヒュージブルリンク８が保持される。ＦＬ保持部４３および部品保持部４４は、ブロック４におけるアッパーカバー２側に配置されている。
【００１８】
図４および図５に示すように、ヒュージブルリンク１２は、本体１２ｃと、互いに対向する一対の端子部１２ａ，１２ｂを有する。端子部１２ａ，１２ｂは、本体１２ｃから高さ方向Ｚに向けて突出している。二つの端子部１２ａ，１２ｂは、横方向Ｙにおいて互いに対向している。本実施形態では、端子部１２ａ，１２ｂの先端から見た本体１２ｃ側を「上側」と称し、本体１２ｃから見た端子部１２ａ，１２ｂの先端側を「下側」と称する。ただし、車両に搭載された状態における実際の上下方向は、図示したものとは異なることがある。
【００１９】
図２から図５に示すように、ヒュージブルリンク１２の一方の端子部１２ａには、バスバー１３が電気的に接続される。図５に示すように、ヒュージブルリンク１２の他方の端子部１２ｂには、バスバー１４が電気的に接続される。バスバー１３，１４は、板状の導電部材の一例である。バスバー１３，１４は、導電性の金属によって形成されている。本実施形態のバスバー１３，１４は、平板状であり、横方向Ｙと直交している。二枚のバスバー１３，１４は、横方向Ｙにおいて端子部１２ａ，１２ｂを挟んで互いに対向している。
【００２０】
本実施形態の電気接続箱１では、端子部１２ｂおよびバスバー１４に対して電源側の端子１５が締結される。この締結は、ネジ部材１６およびナット１７によってなされる。ナット１７は、端子部１２ｂよりも端子部１２ａ側の位置においてブロック４によって保持される。端子部１２ｂおよびバスバー１４は、ネジ部材１６を挿通可能な貫通孔を有している。バスバー１４の貫通孔は、縦方向Ｘの端部に配置されている。ネジ部材１６は、バスバー１４の貫通孔および端子部１２ｂの貫通孔に挿通されてナット１７と螺合する。ネジ部材１６がナット１７と螺合することにより、バスバー１４と端子部１２ｂとが共締めされ、かつブロック４に対して固定される。バスバー１４には、複数の電子部品が電気的に接続される。
【００２１】
図４から図６に示すように、本実施形態の電気接続箱１では、端子部１２ａおよびバスバー１３に対して電気機器側の端子である第一端子１８が締結される。また、バスバー１３に対して電気機器側の端子である第二端子１９が締結される。第一端子１８および第二端子１９には、例えば、オルタネータやスタータモータが接続される。端子部１２ａおよびバスバー１３に対する第一端子１８の締結は、第一のネジ部材２０および第一ナット２１によってなされる。バスバー１３に対する第二端子１９の締結は、第二のネジ部材２２および第二ナット２３によってなされる。
【００２２】
図６等に示すように、バスバー１３は、本体１３ａおよび端子固定部１３ｂを有する。本体１３ａには、複数の電子部品が電気的に接続される。端子固定部１３ｂは、縦方向Ｘにおける本体１３ａの一端に配置されている。端子固定部１３ｂは、第一固定部１３ｃおよび第二固定部１３ｄを有する。第一固定部１３ｃは、本体１３ａとつながっており、本体１３ａと一体である。第二固定部１３ｄは、第一固定部１３ｃに対して下側に配置されている。端子固定部１３ｂは、第一固定部１３ｃと第二固定部１３ｄとの間に傾斜部１３ｅを設けるように二箇所において折り曲げられている。傾斜部１３ｅは、第一固定部１３ｃと第二固定部１３ｄとの間に介在している。傾斜部１３ｅは、高さ方向Ｚに対して傾斜している。傾斜部１３ｅの上端は第一固定部１３ｃの下端とつながっており、傾斜部１３ｅの下端は第二固定部１３ｄの上端とつながっている。第一固定部１３ｃと第二固定部１３ｄとは平行であり、かつ横方向Ｙにおいてずれた位置にある。本実施形態のバスバー１３では、第一固定部１３ｃに対して第二固定部１３ｄが端子部１２ｂ寄りの位置にある。
【００２３】
第一固定部１３ｃおよび第二固定部１３ｄには、それぞれ貫通孔１３ｆ，１３ｇが形成されている。ヒュージブルリンク１２の端子部１２ａには、貫通孔１３ｆに対応する貫通孔１２ｄが形成されている。第一端子１８には、貫通孔１３ｆ，１２ｄに対応する貫通孔１８ａが形成されている。第二端子１９には、貫通孔１３ｇに対応する貫通孔１９ａが形成されている。
【００２４】
第一ナット２１は、貫通孔１２ｄと対向する位置に保持される。第一ナット２１は、第一のフランジ部２１ａおよび円筒部２１ｃを有する。円筒部２１ｃには、ネジ穴２１ｂが形成されている。第一のフランジ部２１ａは、円筒部２１ｃの軸方向の一端から半径方向に突出している。第一のフランジ部２１ａは、外形が矩形の板状の構成部である。第一のフランジ部２１ａは、ブロック４によって保持される。ブロック４による第一ナット２１および第二ナット２３の保持構造については後述する。
【００２５】
第一ナット２１は、端子部１２ａに対して端子部１２ｂ側の位置で保持される。言い換えると、第一ナット２１は、一対の端子部１２ａ，１２ｂの間の位置で保持される。バスバー１３は、端子部１２ａを挟んで第一ナット２１と反対側の位置に配置される。ブロック４は、バスバー１３が挿入されるスリット部を有する。第一端子１８は、第一ナット２１との間にバスバー１３および端子部１２ａを挟み込むようにして第一固定部１３ｃに固定される。第一のネジ部材２０は、貫通孔１８ａ，１３ｆ，１２ｄの順に挿通されて第一ナット２１のネジ穴２１ｂに螺合し、第一端子１８、バスバー１３、および端子部１２ａを共締めする。つまり、第一ナット２１は、第一のネジ部材２０と螺合してバスバー１３に締結される。
【００２６】
第二ナット２３は貫通孔１３ｇと対向する位置に保持される。第二ナット２３は、第二のフランジ部２３ａおよび円筒部２３ｃを有する。円筒部２３ｃには、ネジ穴２３ｂが形成されている。第二のフランジ部２３ａは、円筒部２３ｃの軸方向の一端から半径方向に突出している。第二のフランジ部２３ａは、外径が矩形の板状の構成部である。第二のフランジ部２３ａは、ブロック４によって保持される。
【００２７】
第二ナット２３は、バスバー１３に対して端子部１２ｂ側の位置で保持される。第二端子１９は、第二ナット２３との間にバスバー１３を挟み込むようにして第二固定部１３ｄに固定される。第二のネジ部材２２は、貫通孔１９ａ，１３ｇの順に挿通されて第二ナット２３のネジ穴２３ｂに螺合し、第二端子１９およびバスバー１３を共締めする。第二ナット２３は、第二のネジ部材２２と螺合してバスバー１３に締結される。
【００２８】
図７および図８を参照して、ブロック４に設けられた保持部５について説明する。保持部５は、第一ナット２１の第一のフランジ部２１ａおよび第二ナット２３の第二のフランジ部２３ａを保持する。保持部５は、ブロック４におけるＦＬ保持部４３の下側に形成されている。本実施形態の保持部５は、図９に示すように、一対の端子部１２ａ，１２ｂの間に高さ方向Ｚに沿って延在している。保持部５は、第一のフランジ部２１ａおよび第二のフランジ部２３ａが挿入される通路Ｐ１を形成している。保持部５によって形成される通路Ｐ１は、ブロック４の下方の空間に向けて開放している。二つのフランジ部２１ａ，２３ａは、図９に示すように、保持部５の下端の開口部５０から挿入される。フランジ部２１ａ，２３ａは、端子部１２ａと対向する姿勢、言い換えると、ネジ穴２１ｂ，２３ｂの軸方向が端子部１２ａ，１２ｂの対向方向と同じになる姿勢で保持部５に挿入される。
【００２９】
図８に示すように、保持部５は、第一壁部５１、第二壁部５２、第三壁部５３、第四壁部５４、および第五壁部５５を有する。壁部５１，５２，５３，５４，５５は、高さ方向Ｚに延在している。五つの壁部５１，５２，５３，５４，５５は、断面形状がＣ字形状となるように構成されている。
【００３０】
図８に示すように、第一壁部５１は、両面が横方向Ｙと直交する壁部である。第二壁部５２は、第一壁部５１における縦方向Ｘの一端につながっており、かつ第一壁部５１と直交する壁部である。第四壁部５４は、第一壁部５１における縦方向Ｘの他端につながっており、かつ第一壁部５１と直交する壁部である。第二壁部５２と第四壁部５４とは縦方向Ｘにおいて対向している。第二壁部５２及び第四壁部５４において、横方向Ｙの第一壁部５１側を「基端側」と称し、第一壁部５１とは反対側を「先端側」と称する。
【００３１】
第三壁部５３は、第二壁部５２の先端から第四壁部５４側に向けて突出する壁部である。第五壁部５５は、第四壁部５４の先端から第二壁部５２側に向けて突出する壁部である。第三壁部５３と第五壁部５５とは縦方向Ｘにおいて対向している。第三壁部５３の先端と第五壁部５５の先端との間は、ナット２１，２３の円筒部２１ｃ，２３ｃが通過する隙間である。
【００３２】
図７および図８に示すように、第一壁部５１には、突起部５６が設けられている。突起部５６は、保持部５における高さ方向Ｚの中間部から上側に設けられている。つまり、突起部５６は、第一壁部５１におけるヒュージブルリンク１２の本体１２ｃ側に設けられている。突起部５６は、第三壁部５３および第五壁部５５の側に向けて横方向Ｙに隆起している突起である。突起部５６は、以下に図９を参照して説明するように、第一のフランジ部２１ａの進入を許容し、かつ第二のフランジ部２３ａに当接して第二のフランジ部２３ａの進入を規制する。
【００３３】
図９は、保持部５に対する第一ナット２１および第二ナット２３の挿入を説明する断面図である。図９に示すように、第二のフランジ部２３ａの厚さｔ２は、第一のフランジ部２１ａの厚さｔ１よりも大きい。第一のフランジ部２１ａの幅と、第二のフランジ部２３ａの幅とは等しい。厚さｔ１が小さい第一のフランジ部２１ａは、突起部５６が設けられた領域に進入可能である。一方、厚さｔ２が大きい第二のフランジ部２３ａは、突起部５６によって係止される。突起部５６における突出方向の先端面と第三壁部５３との隙間の幅Ｌ１は、第一のフランジ部２１ａの厚さｔ１以上であり、かつ第二のフランジ部２３ａの厚さｔ２よりも小さい。なお、突起部５６の先端面と第五壁部５５との隙間の幅Ｌ２（図８参照）は、上記の隙間の幅Ｌ１と同じ大きさである。従って、第一のフランジ部２１ａは、突起部５６と第三壁部５３との隙間、および突起部５６と第五壁部５５との隙間に進入することが許容される。
【００３４】
一方、第二のフランジ部２３ａは、突起部５６の係止面５６ａに係止され、係止面５６ａよりも奥側に進入することが規制される。係止面５６ａは、突起部５６における下端の面であり、下側を向いている。保持部５において、係止面５６ａよりも上側の部分は、第一のフランジ部２１ａを保持する第一保持部６１である。言い換えると、第一保持部６１は、保持部５における係止面５６ａよりもヒュージブルリンク１２の本体１２ｃ側の部分である。また、保持部５における係止面５６ａよりも下側の部分は、第二のフランジ部２３ａを保持する第二保持部６２である。
【００３５】
図８に示すように、保持部５は、第一のフランジ部２１ａを保持する一対の保持突起５７，５７を有する。保持突起５７，５７は、第二壁部５２および第四壁部５４に一つずつ配置されている。第二壁部５２に設けられた保持突起５７は、第四壁部５４に向けて縦方向Ｘに突出している。第四壁部５４に設けられた保持突起５７は、第二壁部５２に向けて縦方向Ｘに突出している。一対の保持突起５７，５７は、縦方向Ｘにおいて互いに対向している。図７に示すように、保持突起５７，５７は、第一保持部６１の入口側、すなわち第一保持部６１の下端部に設けられている。
【００３６】
図８に示すように、保持部５は、第二のフランジ部２３ａを保持する一対の保持突起５９，５９を有する。保持突起５９，５９は、第二壁部５２および第四壁部５４に一つずつ配置されている。第二壁部５２に設けられた保持突起５９は、第四壁部５４に向けて縦方向Ｘに突出している。第四壁部５４に設けられた保持突起５９は、第二壁部５２に向けて縦方向Ｘに突出している。一対の保持突起５９，５９は、縦方向Ｘにおいて互いに対向している。図７に示すように、保持突起５９，５９は、第二保持部６２の入口側、すなわち保持部５における開口部５０の近傍に設けられている。
【００３７】
図９に示すように、保持部５に対して、第一のフランジ部２１ａおよび第二のフランジ部２３ａがこの順序で挿入される。保持部５の最奥部には、奥壁部５８が設けられている。第一のフランジ部２１ａは、奥壁部５８に当接する位置まで挿入される。第一のフランジ部２１ａは、奥壁部５８および保持突起５７，５７によって高さ方向Ｚの両側から保持される。奥壁部５８および保持突起５７，５７は、高さ方向Ｚにおける第一のフランジ部２１ａの位置決めを行う。また、第一のフランジ部２１ａは、突起部５６、第三壁部５３、および第五壁部５５によって横方向Ｙの両側から保持される。突起部５６、第三壁部５３、および第五壁部５５は、横方向Ｙにおける第一のフランジ部２１ａの位置決めを行う。また、第一のフランジ部２１ａは、第二壁部５２および第四壁部５４によって縦方向Ｘの両側から保持される。第二壁部５２および第四壁部５４は、第一のフランジ部２１ａを回転不能に保持し、かつ縦方向Ｘにおける第一のフランジ部２１ａの位置決めを行う。
【００３８】
第二のフランジ部２３ａは、係止面５６ａに当接する位置まで挿入される。第二のフランジ部２３ａは、係止面５６ａおよび保持突起５９，５９によって高さ方向Ｚの両側から保持される。係止面５６ａおよび保持突起５９，５９は、高さ方向Ｚにおける第二のフランジ部２３ａの位置決めを行う。また、第二のフランジ部２３ａは、第一壁部５１、第三壁部５３、および第五壁部５５によって横方向Ｙの両側から保持される。第一壁部５１、第三壁部５３、および第五壁部５５は、横方向Ｙにおける第二のフランジ部２３ａの位置決めを行う。第二のフランジ部２３ａは、第二壁部５２および第四壁部５４によって縦方向Ｘの両側から保持される。第二壁部５２および第四壁部５４は、第二のフランジ部２３ａを回転不能に保持し、かつ縦方向Ｘにおける第二のフランジ部２３ａの位置決めを行う。
【００３９】
第一のフランジ部２１ａおよび第二のフランジ部２３ａが保持部５によって保持されると、バスバー１３がブロック４に挿入される。バスバー１３は、ブロック４のスリット部４７に挿入されて、横方向Ｙにおいて第一ナット２１および第二ナット２３と対向する。その後、第一端子１８および第二端子１９が、第一のネジ部材２０および第二のネジ部材２２によってバスバー１３に対して組み付けられる。図１０に示すように、第一ナット２１に対して螺合された第一のネジ部材２０は、第一端子１８、バスバー１３、および端子部１２ａを共締めしてこれらを電気的に接続する。第二ナット２３に対して螺合された第二のネジ部材２２は、第二端子１９およびバスバー１３を共締めしてこられを電気的に接続する。
【００４０】
本実施形態のブロック４は、ヒュージブルリンク１２の端子部１２ａの突出方向に沿って複数のナット２１，２３を配列させて保持することができる。複数のナット２１，２３が高さ方向Ｚに沿って保持されることで、限られたスペースを利用してバスバー１３に対して複数の端子１８，１９を締結することができる。本実施形態では、第一のフランジ部２１ａの厚さｔ１が第二のフランジ部２３ａの厚さｔ２よりも薄くされている。この厚さｔ１，ｔ２の差を利用する進入規制構造（突起部５６）により、二つのフランジ部２１ａ，２３ａが保持部５の奥行き方向に配列されて保持される。本実施形態のような保持部５を有していないブロック４では、一対の端子部１２ａ，１２ｂの間隔によって決まる限られた空間に複数のナットを配列して保持することが困難である。このため、端子部１２ａ，１２ｂの間に一つのナットしか保持することができない。その結果、バスバー１３に対して複数の端子１８，１９を締結しようとすると、バスバー１３における縦方向Ｘの両端にそれぞれナットおよびネジ部材を締結する構造となる。従って、バスバー１３およびブロック４の大型化を招いてしまう。
【００４１】
これに対して、本実施形態の保持部５によれば、バスバー１３において少なくとも縦方向Ｘの小型化が可能となる。よって、本実施形態の電気接続箱１は、小型化を実現できるという効果を奏する。
【００４２】
また、本実施形態では、バスバー１３において、第一固定部１３ｃと第二固定部１３ｄとの間に傾斜部１３ｅが設けられている。これにより、以下に図１１を参照して説明するように、公差が吸収されて適切な当接状態が実現される。図１１に示すように、バスバー１３において、互いに平行な第一固定部１３ｃと第二固定部１３ｄとが傾斜部１３ｅを介してつながっている。第一固定部１３ｃと傾斜部１３ｅとの境界部、および第二固定部１３ｄと傾斜部１３ｅとの境界部はそれぞれ屈曲している。つまり、第一固定部１３ｃと第二固定部１３ｄとの間に二つの屈曲部１３ｈ，１３ｉが存在している。
【００４３】
第一ナット２１および第二ナット２３の公差や、二つのナット２１，２３の保持部５に対する嵌め合いの組み立て公差によって、第一ナット２１の先端面２１ｄと第二ナット２３の先端面２３ｄとに段差が生じる可能性がある。先端面２１ｄ，２３ｄに段差が発生したとしても、バスバー１３がこの段差による影響を吸収することができる。バスバー１３は、屈曲部１３ｈ，１３ｉにおける屈曲度合いを変化させることで、第一固定部１３ｃが先端面２１ｄとの平行を保ち、第二固定部１３ｄが先端面２３ｄとの平行を保つことができるようにする。よって、本実施形態のバスバー１３は、第一固定部１３ｃおよび第二固定部１３ｄが先端面２１ｄ，２３ｄに対して傾斜したままで締結されてしまうことを抑制する。
【００４４】
また、本実施形態のバスバー１３は、先端面２１ｄ，２３ｄの位置を合わせるような配置ができない場合にも有効である。例えば、第一ナット２１および第二ナット２３として既存のナットを使用する場合、先端面２１ｄ，２３ｄを同一平面上に位置させるような設計が困難な場合がある。このような場合に二つの先端面２１ｄ，２３ｄに合わせてバスバー１３の傾斜部１３ｅを形成することで、先端面２１ｄ，２３ｄの段差をバスバー１３に吸収させることができる。
【００４５】
また、本実施形態のブロック４は、以下に図１２から図１４を参照して説明するように、第二端子１９の回転を規制する規制部４５ａを有する。図１２および図１３には、ブロック４を下方から見た斜視図が示されている。規制部４５ａは、電線保持部４５の一部である。電線保持部４５は、ブロック４の下端に設けられている。より具体的には、電線保持部４５は、端子１８，１９と対向する壁部４６の下端に形成されている。電線保持部４５は、下方に向けて開放するＵ字形状の受け部４５ｂを有している。電線保持部４５は、壁部４６から第二端子１９側に向けて横方向Ｙに突出する規制部４５ａを有する。規制部４５ａは、電線保持部４５におけるＵ字形状の受け部４５ｂの一方側を構成している。規制部４５ａは、第二端子１９の下方の空間に突出している。
【００４６】
図１３に示すように、電線保持部４５は、複数の電線Ｗ１を保持する。各電線Ｗ１は、ブロック４によって保持されたヒュージブルリンク８等の電子部品に接続されている。電子部品からブロック４の下方に引き出された複数の電線Ｗ１は、電線束Ｗ２としてまとめられる。電線束Ｗ２は、電線保持部４５に載置され、タイバンド６によって保持される。電線束Ｗ２は、端子１８，１９に接続された電線Ｗと共に電気接続箱１の外部に引き出される。規制部４５ａは、電線束Ｗ２と第二端子１９との間に位置しており、第二端子１９が電線束Ｗ２に向けて回転することを規制する。規制部４５ａは、第二端子１９が電線束Ｗ２に接触することを規制する。また、規制部４５ａは、第二端子１９が回転することによる電線Ｗのばたつきを抑制する。
【００４７】
以上説明したように、本実施形態の電気接続箱１は、ヒュージブルリンク１２と、バスバー１３と、第一ナット２１と、第二ナット２３と、ブロック４と、を有する。ヒュージブルリンク１２は、互いに対向する一対の端子部１２ａ，１２ｂを有する。バスバー１３は、ヒュージブルリンク１２の端子部１２ａに電気的に接続される板状の導電部材の一例である。第一ナット２１は、第一のフランジ部２１ａを有し、第一のネジ部材２０と螺合してバスバー１３に締結される。第二ナット２３は、第二のフランジ部２３ａを有し、第二のネジ部材２２と螺合してバスバー１３に締結される。ブロック４は、第一のフランジ部２１ａおよび第二のフランジ部２３ａを保持する保持部５を有し、かつヒュージブルリンク１２を保持する。
【００４８】
保持部５は、一対の端子部１２ａ，１２ｂの間に端子部１２ａ，１２ｂの突出方向に沿って延在している。本実施形態の保持部５は、ブロック４の高さ方向Ｚに延在している。保持部５は、第一のフランジ部２１ａおよび第二のフランジ部２３ａが挿入される挿入口（開口部５０）を有する。また、保持部５は、挿入方向の奥側に位置し、第一のフランジ部２１ａを保持する第一保持部６１と、挿入方向の入口側に位置し、第二のフランジ部２３ａを保持する第二保持部６２とを有する。
【００４９】
第二のフランジ部２３ａは、第一のフランジ部２１ａと比較して厚さまたは幅の少なくとも一方が大きい。例えば、本実施形態では、第二のフランジ部２３ａの厚さｔ２が第一のフランジ部２１ａの厚さｔ１よりも大きい。保持部５は、突起部５６を有する。突起部５６は、第一のフランジ部２１ａが第一保持部６１へ進入することを許容し、かつ第二のフランジ部２３ａに当接して第二のフランジ部２３ａが第一保持部６１へ進入することを規制する。
【００５０】
本実施形態の電気接続箱１は、保持部５の奥行き方向に沿って第一のフランジ部２１ａおよび第二のフランジ部２３ａを並ばせた状態で二つのフランジ部２１ａ，２３ａを保持する。本実施形態の電気接続箱１は、バスバー１３に対する第一端子１８および第二端子１９の接続箇所を端子固定部１３ｂに集中させることができる。よって、本実施形態の電気接続箱１は、一対の端子部１２ａ，１２ｂの間の限られたスペースを利用して複数のナット２１，２３を保持し、バスバー１３に対して複数の端子１８，１９を締結可能である。従って、バスバー１３の小型化により、電気接続箱１の小型化を実現することができる。
【００５１】
本実施形態の第二のフランジ部２３ａの厚さｔ２は、第一のフランジ部２１ａの厚さｔ１よりも大きい。突起部５６は、横方向Ｙに向けて突出している。横方向Ｙは、第一のフランジ部２１ａおよび第二のフランジ部２３ａの厚さ方向に対応している。また、突起部５６は、第一のフランジ部２１ａおよび第二のフランジ部２３ａの挿入方向に沿って第一保持部６１に形成されている。突起部５６は、フランジ部２１ａ，２３ａの厚さ方向においてバスバー１３とは反対側から第一のフランジ部２１ａを支持する。突起部５６は、第一のフランジ部２１ａに対して第一のネジ部材２０が螺合される際に第一のフランジ部２１ａを支持する。突起部５６は、第一のフランジ部２１ａを支持する支持部としての機能と、第二のフランジ部２３ａの進入を規制する規制部としての機能とを兼ね備えている。
【００５２】
本実施形態のバスバー１３は、第一ナット２１が締結される第一固定部１３ｃと、第二ナット２３が締結される第二固定部１３ｄとを有する。第一固定部１３ｃと第二固定部１３ｄとは平行である。バスバー１３は、第一固定部１３ｃと第二固定部１３ｄとの間に屈曲部１３ｈ，１３ｉを有する。屈曲部１３ｈ，１３ｉによって、ナット２１，２３の公差や組み付け公差が吸収される。また、屈曲部１３ｈ，１３ｉによって、ナット２１，２３の先端面２１ｄ，２３ｄに発生する段差に対応可能となる。
【００５３】
本実施形態のブロック４は、ブロック４によって保持された電子部品から引き出された電線Ｗ１を保持する電線保持部４５を有する。電線保持部４５は、バスバー１３に締結された第二端子１９と電線Ｗ１との間に位置する規制部４５ａを有する。規制部４５ａは、第二端子１９が電線Ｗ１側に向けて回転することを規制する。規制部４５ａは、第二端子１９が電線Ｗ１に接触することを規制することができる。
【００５４】
本実施形態の電気接続箱１では、図２に示すように、ブロック４から電線Ｗが縦方向Ｘに引き出される。よって、電線Ｗが高さ方向Ｚに引き出される場合と比べて、ブロック４および電気接続箱１の低背化が可能である。
【００５５】
なお、ブロック４の形状やヒュージブルリンク１２の配置、保持部５の形状等については、例示したものには限定されない。それぞれの形状や配置は、適宜変更可能である。また、保持部５によって保持されるナットの数は、二つには限定されない。例えば、第一ナット２１および第二ナット２３に加えて、第三のナットが保持部５によって保持されてもよい。
【００５６】
［第２実施形態］
図１５から図１８を参照して第２実施形態について説明する。第２実施形態については、上記第１実施形態で説明したものと同様の機能を有する構成要素には同一の符号を付して重複する説明は省略する。図１５は、第２実施形態に係るブロックの下面図、図１６は、第２実施形態に係る保持部を示す断面図、図１７は、第２実施形態の保持部に対して挿入されるナットを示す断面図、図１８は、第２実施形態の保持部によって保持されたナットを示す断面図である。図１６には、図１５のXVI−XVI断面が示されている。
【００５７】
図１７および図１８に示すように、第２実施形態に係る保持部７は、幅が異なる二つのナット２４，２５を高さ方向Ｚに配列させて保持する。図１７に示すように、第一ナット２４は第一のフランジ部２４ａおよび円筒部２４ｃを有し、第二ナット２５は第二のフランジ部２５ａおよび円筒部２５ｃを有する。第一のフランジ部２４ａの幅Ｗｄ１は、第二のフランジ部２５ａの幅Ｗｄ２よりも小さい。本実施形態では、第一のフランジ部２４ａの厚さと第二のフランジ部２５ａの厚さとは等しい。
【００５８】
図１５に示すように、保持部７は、第一壁部７１、第二壁部７２、第三壁部７３、第四壁部７４、および第五壁部７５を有する。壁部７１，７２，７３，７４，７５は、高さ方向Ｚに延在している。第一壁部７１は、両面が横方向Ｙと直交する壁部である。第二壁部７２は、第一壁部７１における縦方向Ｘの一端につながっており、かつ第一壁部７１と直交する壁部である。第四壁部７４は、第一壁部７１における縦方向Ｘの他端につながっており、かつ第一壁部７１と直交する壁部である。第二壁部７２と第四壁部７４とは縦方向Ｘにおいて対向している。
【００５９】
第三壁部７３は、第二壁部７２の先端から第四壁部７４側に向けて突出する壁部である。第五壁部７５は、第四壁部７４の先端から第二壁部７２に向けて突出する壁部である。第三壁部７３と第五壁部７５とは縦方向Ｘにおいて対向している。第三壁部７３の先端と第五壁部７５の先端との間は、ナット２４，２５の円筒部２４ｃ，２５ｃ（図１７参照）が通過する隙間である。
【００６０】
図１６に示すように、第二壁部７２および第四壁部７４には、それぞれ突起部７６が設けられている。突起部７６は、保持部７における高さ方向Ｚの中間部から奥側（上側）に設けられている。第二壁部７２の突起部７６は、第四壁部７４に向けて隆起している突起部である。第四壁部７４の突起部７６は、第二壁部７２に向けて隆起している突起部である。突起部７６は、第一のフランジ部２４ａの進入を許容し、かつ第二のフランジ部２５ａに当接して第二のフランジ部２５ａの進入を規制する。
【００６１】
図１６に示す通路幅Ｌ３は、高さ方向Ｚにおける突起部７６よりも入口側（下側）の範囲の保持部７の通路幅である。通路幅Ｌ３は、第二壁部７２と第四壁部７４との隙間の幅である。一対の突起部７６，７６の間の通路幅Ｌ４，Ｌ５は、通路幅Ｌ３よりも小さい。通路幅Ｌ４は、突起部７６の入口部分７６ｂにおける突起部７６，７６の先端面同士の間隔である。また、突起部７６，７６の奥側の部分７６ｃにおける通路幅Ｌ５は、入口部分７６ｂの通路幅Ｌ４よりも大きい。奥側の部分７６ｃは、入口部分７６ｂよりも一段低くなっている。
【００６２】
図１７に示すように、第一のフランジ部２４ａおよび第二のフランジ部２５ａは、この順序で開口部７０から保持部７に挿入される。入口部分７６ｂの通路幅Ｌ４は、第一のフランジ部２４ａの進入を許容し、かつ第二のフランジ部２５ａの進入を規制するように定められている。入口部分７６ｂの通路幅Ｌ４は、例えば、第一のフランジ部２４ａの幅Ｗｄ１よりもわずかに小さい。第一のフランジ部２４ａは、入口部分７６ｂを弾性変形させながら奥側の部分７６ｃへ進入する。
【００６３】
保持部７における入口部分７６ｂよりも奥側の領域は、第一のフランジ部２４ａを保持する第一保持部８１である。保持部７における最奥部には、奥壁部７８が設けられている。第一のフランジ部２４ａは、奥壁部７８に当接する位置まで挿入される。入口部分７６ｂは、奥壁部７８と共に第一のフランジ部２４ａを高さ方向Ｚの両側から保持する。第一のフランジ部２４ａは、奥側の部分７６ｃ，７６ｃによって縦方向Ｘの両側から保持される。また、第一のフランジ部２４ａは、第一壁部７１、第三壁部７３、および第五壁部７５によって横方向Ｙの両側から保持される。
【００６４】
入口部分７６ｂの通路幅Ｌ４は、第二のフランジ部２５ａの進入を規制するように定められている。入口部分７６ｂの通路幅Ｌ４は、第二のフランジ部２５ａの幅Ｗｄ２よりも十分に小さい。第二のフランジ部２５ａは、突起部７６の係止面７６ａに係止される。係止面７６ａは、突起部７６における下側を向く端面である。係止面７６ａは、第二のフランジ部２５ａに当接して第二のフランジ部２５ａが第一保持部８１に進入することを規制する。
【００６５】
保持部７において、係止面７６ａよりも下側、すなわち入口側の領域は、第二のフランジ部２５ａを保持する第二保持部８２である。第二保持部８２には、第二のフランジ部２５ａを保持する一対の保持突起７７が設けられている。保持突起７７は、第二壁部７２および第四壁部７４に一つずつ設けられている。第二壁部７２に配置された保持突起７７は、第四壁部７４に向けて突出している。第四壁部７４に配置された保持突起７７は、第二壁部７２に向けて突出している。一対の保持突起７７，７７は、縦方向Ｘにおいて互いに対向している。保持突起７７，７７は、第二保持部８２の入口側、すなわち保持部７の下端部に設けられている。保持突起７７，７７は、係止面７６ａと共に第二のフランジ部２５ａを高さ方向Ｚの両側から保持する。第二のフランジ部２５ａは、第二壁部７２および第四壁部７４によって縦方向Ｘの両側から保持される。また、第二のフランジ部２５ａは、第一壁部７１、第三壁部７３、および第五壁部７５によって横方向Ｙの両側から保持される。
【００６６】
保持部７に挿入された第一のフランジ部２４ａおよび第二のフランジ部２５ａに対して、上記第１実施形態と同様に第一のネジ部材２０および第二のネジ部材２２がそれぞれ螺合される。第一のネジ部材２０は、第一ナット２４に螺合することにより、第一端子１８、バスバー１３、および端子部１２ａを共締めする。第二のネジ部材２２は、第二ナット２５に螺合することにより、第二端子１９およびバスバー１３を共締めする。
【００６７】
以上説明したように、第２実施形態では、第二のフランジ部２５ａの幅Ｗｄ２は、第一のフランジ部２４ａの幅Ｗｄ１よりも大きい。突起部７６は、縦方向Ｘに突出している。縦方向Ｘは、第一のフランジ部２４ａおよび第二のフランジ部２５ａの幅方向に対応している。突起部７６は、フランジ部２４ａ，２５ａの挿入方向に沿って第一保持部８１に形成されている。突起部７６は、フランジ部２４ａ，２５ａの幅方向において第一のフランジ部２４ａを挟み込み、第一のフランジ部２４ａを保持する。突起部７６は、第一のフランジ部２４ａを保持する保持機能と、第二のフランジ部２５ａの進入を規制する規制部としての機能を兼ね備えている。
【００６８】
［変形例］
上記第１実施形態および第２実施形態の変形例について説明する。上記第１実施形態および第２実施形態において、バスバー１３に対して接続される端子は、第一端子１８あるいは第二端子１９の一方であってもよい。例えば、上記第１実施形態において、第一ナット２１および第一のネジ部材２０は、第一端子１８を除くバスバー１３および端子部１２ａを締結してもよい。言い換えると、第一ナット２１および第一のネジ部材２０は、バスバー１３と端子部１２ａとを締結して、バスバー１３および端子部１２ａをブロック４に対して固定するものであってもよい。
【００６９】
第二のフランジ部は、第一のフランジ部と比較して厚さおよび幅の両方が大きくされてもよい。例えば、第１実施形態において、第二のフランジ部２３ａの幅が、第一のフランジ部２１ａの幅よりも大きくされてもよい。この場合、保持突起５７は、第二のフランジ部２３ａを係止する係止面を有していてもよい。
【００７０】
上記第１実施形態および第２実施形態において、端子部１２ｂに対して保持部５，７と同様の保持部が設けられてもよい。この場合、端子部１２ａ，１２ｂの間のスペースを利用して複数のナットを保持し、バスバー１４に対して複数の端子を締結することが可能となる。
【００７１】
上記の各実施形態および変形例に開示された内容は、適宜組み合わせて実行することができる。
【符号の説明】
【００７２】
１  電気接続箱
２  アッパーカバー
３  ロアカバー
４  ブロック
５  保持部
６  タイバンド
７  保持部
８  ヒュージブルリンク
１１  電線挿通部
１２  ヒュージブルリンク
１２ａ，１２ｂ  端子部
１２ｃ  本体
１２ｄ  貫通孔
１３，１４  バスバー
１３ａ  本体
１３ｂ  端子固定部
１３ｃ  第一固定部
１３ｄ  第二固定部
１３ｅ  傾斜部
１３ｆ，１３ｇ  貫通孔
１３ｈ，１３ｉ  屈曲部
１５  端子
１６  ネジ部材
１７  ナット
１８  第一端子
１９  第二端子
２０  第一のネジ部材
２１  第一ナット
２１ａ  第一のフランジ部
２１ｂ  ネジ穴
２１ｃ  円筒部
２１ｄ  先端面
２２  第二のネジ部材
２３  第二ナット
２３ａ  第二のフランジ部
２３ｂ  ネジ穴
２３ｃ  円筒部
２３ｄ  先端面
３１  筒構成部
４１  本体
４２  筒構成部
４３  ＦＬ保持部
４４  部品保持部
４５  電線保持部
４５ａ  規制部
４６  壁部
４７  スリット部
５０，７０  開口部（挿入口）
５１  第一壁部
５２  第二壁部
５３  第三壁部
５４  第四壁部
５５  第五壁部
５６  突起部
５６ａ  係止面
５７  保持突起
５８  奥壁部
５９  保持突起
６１  第一保持部
６２  第二保持部
７１  第一壁部
７２  第二壁部
７３  第三壁部
７４  第四壁部
７５  第五壁部
７６  突起部
７６ａ  係止面
７６ｂ  入口部分
７６ｃ  奥側の部分
７７  保持突起
８１  第一保持部
８２  第二保持部
Ｐ１  通路
ｔ１  第一のフランジ部の厚さ
ｔ２  第二のフランジ部の厚さ
Ｗ，Ｗ１  電線
ＷＨ  ワイヤハーネス
Ｗｄ１  第一のフランジ部の幅
Ｗｄ２  第二のフランジ部の幅
Ｘ  縦方向
Ｙ  横方向
Ｚ  高さ方向
【図１】
2018160967.tif 000003
【図２】
2018160967.tif 000004
【図３】
2018160967.tif 000005
【図４】
2018160967.tif 000006
【図５】
2018160967.tif 000007
【図６】
2018160967.tif 000008
【図７】
2018160967.tif 000009
【図８】
2018160967.tif 000010
【図９】
2018160967.tif 000011
【図１０】
2018160967.tif 000012
【図１１】
2018160967.tif 000013
【図１２】
2018160967.tif 000014
【図１３】
2018160967.tif 000015
【図１４】
2018160967.tif 000016
【図１５】
2018160967.tif 000017
【図１６】
2018160967.tif 000018
【図１７】
2018160967.tif 000019
【図１８】
2018160967.tif 000020